(57)【要約】【課題】付け爪が容易に着脱でき、装飾性も向上し、なおかつ、指に自然な装着感及び一体感を持たせる構造の指先装飾具を提供する。【解決手段】爪と皮膚の境界近傍に装着される略C型形状の装飾具であって、開口部を有する基台に基づいて装飾され、前記基台は、爪側から指の腹に向かって半円を超えて回り込む保持部を有する形状からなることを特徴とする指先装飾具及び、その指先装飾具の製造方法とした。また、前記自然な装着感を高めるため、使用者の指の形状を樹脂で型取りし、ロストワックス法により成型することが望ましい。【選択図】図１
2016137039.tif 000002
【特許請求の範囲】
【請求項１】
爪と皮膚の境界近傍に装着される略C型形状の装飾具であって、開口部を有する基台に基づいて装飾され、前記基台は、爪側から指の腹に向かって半円を超えて回り込む保持部を有する形状からなることを特徴とする指先装飾具。
【請求項２】
前記基台の内部形状が、使用者の指の形状を樹脂で型取りし、ロストワックス法を用いて成形されることを特徴とする請求項１に記載の指先装飾具。
【請求項３】
前記指先装飾具の前記保持部に、指の長さ方向の延長部が設けられていることを特徴とする請求項１又は請求項２記載の指先装飾具。
【請求項４】
前記基台に付け爪を着脱可能とする構造が設けられていることを特徴とする請求項１から請求項３のいずれかに記載の指先装飾具。
【請求項５】
前記延長部が、らせん状の形状であることを特徴とする請求項１から請求項４のいずれかに記載の指先装飾具。
【請求項６】
前記付け爪装着時に、使用者の爪と前記付け爪が爪の先端部で固着されていることを特徴とする請求項１から請求項５のいずれかに記載の指先装飾具。
【請求項７】
前記指先装飾具が、型取りした使用者の指に対ししまりばめとなる寸法であることを特徴とする請求項１から請求項６のいずれかに記載の指先装飾具。
【請求項８】
前記基台の製造方法が、使用者の指からシリコン樹脂にて型取りし、ロストワックス法を用いることで該基台の内部形状が使用者の指の形状に成形される方法であることを特徴とする請求項１から請求項７のいずれかに記載の指先装飾具の製造方法。
【請求項９】
前記指先装飾具の製造方法において、型取りした使用者の指に対ししまりばめとなる寸法で成形することを特徴とする請求項１から請求項８のいずれかに記載の指先装飾具の製造方法。
【発明の詳細な説明】
【技術分野】
【０００１】
本発明は、指先を装飾する装飾品に関し、詳しくは、特定人物の実指からシリコン樹脂を用いて型取りを行い、鋳造（ロストワックス法）で製造することにより装着時のフィット感の向上と、新たな装飾形態の技術に関する。
【背景技術】
【０００２】
従来、指先を装飾する方法として、付け爪が用いられることがある。人工的に造られた爪に、好みの色付けや宝石などを付け、使用者の爪に接着剤で貼り付けるものである。ネイルショップなどや個人で比較的簡単につけられるので、使用している者も多い。
【０００３】
しかしながら、付け爪を使用者の爪に装着する際、使用者の爪全体に接着剤を塗布し付け爪を固定する場合が多い。また、１カ月程度装着したままの場合も多く、そのため使用者の爪への負担が大きく、健康上問題であった。また、使用者によっては、次々と付け爪を変えたい場合があり、その度に、接着剤や接着シートをはがすことは迂遠であった。更に飲食物提供業従事者では、衛生面等の問題から付け爪等の装飾品を装着することができないという問題もあった。
【０００４】
係る問題を解決する一つの方法として、指輪を模したものを指先につけることが考えられるが、指先にリング状のものをつけるのは生活上不便であるし、指先の形は個人差が大きいことから難しいという問題がある。また、付け爪に宝石などをつける場合に、爪への負担から極めて微細なものしか付けられない。そのため、使用者によっては、爪の周りをもっと装飾したいとの要求もあった。
【０００５】
そこで、付け爪が容易に着脱でき、装飾性も向上し、なおかつ、指に自然な装着感及び一体感を持たせることができる発明が求められていた。結婚指輪等の特別な関係を強調する構造（特許文献１参照）が提案され、公知技術となっている。より詳しくは、特定人物の実指からシリコーン樹脂で型取りし、ロストワックス法によりプラチナ・金・白金・銀等の貴金属に鋳造成型することで、実体感をシンプルな構造で表現できます。また、量産可能となり特定な人物と多人数との一体感を演出できるものである。特定の人の指の型を取り、一体感をもつことができるものであるが、付け爪の固定については記載されておらず、前記問題の解決には至っていない。
【０００６】
付け爪上に容易に装飾を施す方法（特許文献２参照）が提案され、公知技術となっている。より詳しくは、手足の指の爪に取り付けられるチップ上に装飾体が設けられて構成された付け爪について、チップは金属により形成され、装飾体は宝石を備えており、宝石は、チップと一体化された係止爪部によりチップに固定する方法である。付け爪の装飾性を向上させる方法については記載されているのが、付け爪の着脱については記載されておらず、前記問題の解決には至っていない。
【０００７】
オーダーメイドが必要とされる装飾品の製造方法において、できるだけ低コストで生産性よく製造できるようにした方法（特許文献３参照）が提案され、公知技術となっている。より詳しくは、装飾品の３次元ＣＡＤデータを作成し、この３次元ＣＡＤデータに基づいてスライスデータを作成し、このスライスデータに基づいて３次元の造形を行なうインクジェット式３次元造形機１０を用いて前記装飾品のロウ型を作製し、このロウ型を用いてロストワックス法により前記装飾品を鋳造する方法である。人の指の型を取り、装着感を向上させるものであるが、付け爪の固定については記載されておらず、前記問題の解決には至っていな
い。
【０００８】
本発明者はそれらの問題を解決しようと、開口部を有する基台を持ち、基台に対して、装飾品及び付け爪が着脱可能な構造に着目し、「指先装飾具」の提案に至るものである。
【先行技術文献】
【特許文献】
【０００９】
【特許文献１】特開２００８−２６４４４３号
【特許文献２】再表２００８／１３９６６１号
【特許文献３】特開２００３−０７０５１３号
【発明の概要】
【発明が解決しようとする課題】
【００１０】
付け爪が容易に着脱でき、装飾性も向上し、なおかつ、指に自然な装着感及び一体感を持たせる構造の指先装飾具を提供する。
【課題を解決するための手段】
【００１１】
本発明に係る指先装飾具は、爪と皮膚の境界近傍（前記近傍とは、指先の指骨の末節骨が接する関節より指先側であって、後爪郭、甘皮、爪半月、爪根、爪母及び、爪甲の略中間付近のいずれかを含む領域をいう。）に装着される略C型形状の装飾具であって、開口部を有する基台に基づいて装飾され、前記基台は、爪側から指の腹に向かって半円を超えて回り込む保持部を有する形状からなる指先装飾具とした。
【００１２】
また、本発明は、前記基台の内部形状が、使用者の指の形状を樹脂で型取りし、ロストワックス法を用いて成形する構成を採用することもできる。
【００１３】
また、本発明は、前記指先装飾具の前記保持部に、指の長さ方向の延長部（以下、延長部は前記保持部の概念に含まれる部分であり、保持力を増強させるための補助的な作用を奏する為に、設けられるものである。）が設けられている構成を採用することもできる。
【００１４】
また、本発明は、前記基台に付け爪を着脱可能とする構成を採用することもできる。
【００１５】
また、本発明は、前記延長部が、らせん状の形状で構成することもできる。
【００１６】
また、本発明は、前記付け爪装着時に、使用者の爪と前記付け爪が爪の先端部（詳しくは、爪先付近）で固着する構成を採用することもできる。
【００１７】
また、本発明は、前記指先装飾具が、型取りした使用者の指に対し、しまりばめとなる寸法で形成する手段を採用することもできる。
【００１８】
また、本発明は、前記略C型形状の内部形状を使用者の指からシリコン樹脂にて型取りし、ロストワックス法を一部の形状は使用者の指の型をシリコン樹脂で型取りし、ロストワックス法を用いる構成を採用することもできる。
【００１９】
また、本発明は、前記指先装飾具の製造方法において、型取りした使用者の指に対ししまりばめとなる寸法で成形する構成を採用することもできる。
【発明の効果】
【００２０】
本発明に係る指先装飾具によれば、付け爪が容易に着脱でき、装飾性も向上し、なおかつ、指に自然な装着感及び一体感を持たせることが可能であり、使用者の装飾に対する満足度を向上させるものである。
【図面の簡単な説明】
【００２１】
【図１】本発明に係る指先装飾具の装着時の側面図、上面図である。
【図２】本発明に係る指先装飾具の装着方法を示す図である。
【図３】本発明に係る指先装飾具の他の形態と装着時の断面図を示す図である。
【図４】本発明に係る指先装飾具の他の装着方法を示す図である。
【図５】本発明に係る指先装飾具の製造過程を示す図である。
【発明を実施するための形態】
【００２２】
本発明である指先装飾具は、付け爪が容易に着脱でき、装飾性も向上し、なおかつ、指に自然な装着感及び一体感を持たせることを最大の特徴とする。以下、実施例を図面に基づいて説明する。
【００２３】
なお、本実施例で示される指先装飾具の全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
図１から図４に従って、本発明を説明する。図１は、本発明に係る指先装飾具の装着時の側面図、上面図である。図２は、本発明に係る指先装飾具の装着方法を示す図であり、図２（ａ）は、各要素を分けて描いたものである。図３は、本発明に係る指先装飾具の他の形態と装着時の断面図を示す図である。図３（ａ）は指先装飾具１を装着する前後を示す。図３（ｂ）は付け爪６と指先装飾具１の固定構造を示す。図３（ｃ）は装着時の指を含む断面図を示す。図４は、本発明に係る指先装飾具の他の装着方法を示す図である。
【００２４】
指先装飾具１は、主に基台２と保持部５から構成され、指の先端寄りの爪の根元付近に装着される装飾具である。全体として、断面視が円弧状であり、指の背側から装着する。円弧の端部は弾性があり、且つ、円弧の内壁面は、使用者の指を型とした形状であるので、装着時に指との一体感がある。基台２によって付け爪６の基端と側面を覆うことによって、付け爪６の脱落を防止する（図１）。
【００２５】
基台２は、指先に装着するための略C形状に形成され、基部３と側面部４が必要に応じて設けられる。基部３は、概ね、爪と皮膚の境界近傍２０（前記近傍とは、指先の指骨の末節骨が接する関節より指先側であって、後爪郭、甘皮、爪半月、爪根、爪母及び、爪甲の略中間付近のいずれかを含む領域をいう。）に覆う形状であり、必要に応じて保持部５の両側面側から爪の側面に沿う形で側面部４が延出している。側面部４は、付け爪を装着しない構成で使用する場合には、不要な部分である。付け爪６を装着する場合には、該付け爪の側面を斜め上方から押さえる構造である。基部３、側面部４の表面には装飾部品７を配置することができる。付け爪６に装飾品を固定することは難しいが、基部３、側面部４は金属で剛性があるので、指輪と同様に様々な装飾部品７を配置できる。
【００２６】
保持部５は、爪側から指の腹に向かって半円を超えて回り込む形状からなり、指先装飾具１を指１０に固定するために重要な部分である。保持部５は側面部４の側面から指の腹方向に回り込み、指を両側面から挟む構造である（図３（ｃ））。保持部５の形状は、指の型から形成したものであるので、指に沿った形状であり、指との一体感があり、指先装飾具１が円弧状であるにも係らず、指から脱落しにくい。保持部５は、指を保持するための形状として、単に平板を曲げた形状でもいいし（図３、図４）、装飾性を向上させるためにらせん状としてもよい（図１）。また、図面上に示す保持部５の形状において、指の長さ方向に対して延長するような形が示されている部分は、請求項３に記載の延長部５ａを含めつつ装飾的に表したものである。
【００２７】
延長部５ａは、前記保持部５の概念に含まれる部分であり、保持力を増強させるための補助的な作用を奏する為に設けられるものであって、図１（ａ２）、図２ａ、図２ｂの図に示しているように、装飾形状にしているものでも良い。
【００２８】
付け爪６は、一般的なものでよく、流通しているものを適宜選択して使用することができる。そのため、好みの付け爪６と指先装飾具１を組み合わせることで、装飾性を向上させることができる。
【００２９】
次に、指先装飾具１の装着方法について図２，４に沿って説明する。
【００３０】
指１０に対して、使用する付け爪６を選択する。爪９と付け爪６の位置を決め、爪９と付け爪６の間に接着剤８を入れて、爪９と付け爪６の一部を固定する。接着剤８の位置は、爪９の先端付近で、付け爪６と密着しやすい位置とする。接着剤８は爪全体ではなく、ポイント的に使用する（図２（ａ））。通常の付け爪のように、爪全体に接着剤を塗布するのではないので、爪への負担は少ない。
爪９と付け爪６の一部を固定した後、指先装飾具１を指１０の背側から指１０に装着する。基部３の前（指の先端側）部分が付け爪６の基端側を覆うように装着する。指先装飾具１は、指１０の周囲方向について円弧状であるので、指１０と一体化する。さらに、指先装飾具１は付け爪６の基端側を覆っているので、付け爪６は指１０方向に付勢されており、指１０から脱落しない（図２、図４）。
【００３１】
次に、指先装飾具１の製造方法について図５に沿って説明する。
【００３２】
指先装飾具１の内壁を使用者の指の形状の模すため、使用者の指１０の型を取り、その形状にそって指先装飾具１を形成する。
【００３３】
１）使用者の指１０にシリコン樹脂１１を塗布し、硬化させ、指１０の型を取る（図５（ａ））。
【００３４】
２）シリコン樹脂１１に石膏を流し込み、石膏の指形状を作る（図５（ｂ）、図５（ｃ））。
【００３５】
３）石膏１２にワックス１３を当て、石膏１２の形状を合わせる。ワックス１３は、あらかじめ、指先装飾具１の形状の大枠をつくっておき、石膏１２に合わせることで、個別の指１０ごとの調整を行う（図５（ｄ））。
【００３６】
４）石膏１２、ワックス１３を、容器１４にいれ、埋没材１５で充填する。埋没材１５は、はじめは流動性があるが、時間が経つと石膏のように硬くなる（図５（ｅ））。
【００３７】
５）容器１４を炉に入れ、７００度まで上げ、ワックス１３を燃やし、ワックス１３のあった場所に空間を形成し、その空間に金属１７を流し込む（図５（ｆ）、図５（ｇ））。
【００３８】
６）埋没材１５、石膏１２を取り除き、不要な部分を切除し、指先装飾具１を形成する（図５（ｈ）、図５（ｉ））。
このような工程を行うことによって、使用者の指の形にあった指先装飾具１を作ることができる。
【００３９】
上記のような構成、工程によって、付け爪が容易に着脱でき、装飾性も向上し、なおかつ、指に自然な装着感及び一体感を持たせることが可能であり、使用者の装飾に対する満足度を向上させるものである。
（実施例２）
他の実施例について図３を用いて説明する。実施例１と同様の部分は省略する。
【００４０】
実施例１によって、図３（ａ１）は、使用者の指１０のみが示され、図３（ａ２）は、基部３と保持部５のみから成る基台２が使用者の指１０に装着された状態が示され、図３（ａ３）は、基台２に側面部４を備え、付け爪６が装着されている状態を示している。
一般的な付け爪６を指先装飾具１と共に使用することができ、利便性が向上するが、さらに指先装飾具１と付け爪６の一体感を強化することができる。
【００４１】
付け爪６の側面の基端寄りの部分を側面に沿って削り、段差部６０１を設ける。指先装飾具１の側面部４の対応する部分には、付け爪６の削った量に応じた隆起部分を作り、段差部４０１を形成する（図３（ｂ））。付け爪６を指先装飾具１に装着した際、段差部４０１によって、段差部６０１を保持する形となり、指先装飾具１と付け爪６の一体感を強化することができる（図３（ｃ））。
【００４２】
また、付け爪６の側面の基端寄りの部分に突起部６０２を設け、指先装飾具１の側面部４の対応する部分には、凹部４０２を形成する（図３（ｂ））。付け爪６を指先装飾具１に装着した際、凹部４０２によって、突起部６０２を保持する形となり、指先装飾具１と付け爪６の一体感を強化することができる（図３（ｃ））。
【００４３】
このような構造とすることによって、指先装飾具１と付け爪６の一体感が増し、付け爪６のぐらつきを、より抑えることができ、使用者の装飾に対する満足度を向上させるものである。
【００４４】
また、本願発明において、指の寸法及び形状に対して、しまりばめとなる寸法及び形状に形成する形成手段を採用することで、脱落を防止することが可能となる点において有効である。
【００４５】
なお、本願発明では、ロストワックスの型取りにシリコン樹脂を用いる旨の記載があるが、シリコン樹脂と同様の固形性、離型性、弾性、伸縮性及び、人体への悪影響のない素材であれば、特にシリコン樹脂に限定されるものではない。
【産業上の利用可能性】
【００４６】
本発明に係る指先装飾具は、付け爪を含む指先の装飾方法についての産業上の利用可能性は大きいと解する。
【符号の説明】
【００４７】
１  指先装飾具
２  基台
３  基部
４  側面部
５  保持部
５ａ  延長部
６  付け爪
７  装飾部品
８  接着剤
９  爪
１０  指
１１  シリコン樹脂
１２  石膏
１３  ワックス
１４  容器
１５  埋没材
１６  空間
１７  金属
２０  爪と皮膚の境界近傍
４０１  段差部
４０２  凹部
６０１  段差部
６０２  突起部
【図１】
2016137039.tif 000003
【図２】
2016137039.tif 000004
【図３】
2016137039.tif 000005
【図４】
2016137039.tif 000006
【図５】
2016137039.tif 000007
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
爪と皮膚の境界近傍に装着する指先装飾具の製造方法であって、
前記指先装飾具は略Ｃ型形状の開口部を有する基台に基づいて装飾され、
該基台は、爪側から指の腹に向かって半円を超えて回り込む保持部と該保持部から長さ方向に向かう延長部を有し、
前記指先装飾具は使用者の指の形状及び爪と皮膚の境界近傍の形状を型取りした指型を製作し、
該指型の周囲にワックスを塗布して硬化させ、
該硬化したワックスを前記指先装飾具の形状となるように加工を施し、
これを埋没材が充填された容器に収容して過熱することによって前記ワックスを除去して出来た空間内に金属を流し込むロストワックス法を用いることで使用者の指先に嵌合する内面形状に加工されることを特徴とする指先装飾具の製造方法。
【請求項２】
前記指先装飾具の前記保持部の形状が指の長さ方向に向かう延長部を有するように成型することを特徴とする請求項１に記載の指先装飾具の製造方法。
【請求項３】
前記基台に付け爪を着脱可能とする形状を有するように成型することを特徴とする請求項１又は請求項２に記載の指先装飾具の製造方法。
【請求項４】
前記延長部が、らせん状の形状に成型することを特徴とする請求項１から請求項３のいずれかに記載の指先装飾具の製造方法。
【請求項５】
前記付け爪装着時に、使用者の爪と前記付け爪を爪の先端部で固着させることを特徴とする請求項１から請求項４のいずれかに記載の指先装飾具の製造方法。
【請求項６】
前記指先装飾具が、型取りした使用者の指に対ししまりばめとなる寸法に成型することを特徴とする請求項１から請求項５のいずれかに記載の指先装飾具の製造方法。
【請求項７】
前記ロストワックス法における型取りにシリコン樹脂を用いることを特徴とする請求項１から請求項６のいずれかに記載の指先装飾具の製造方法。
【手続補正２】
【補正対象書類名】明細書
【補正対象項目名】００１１
【補正方法】変更
【補正の内容】
【００１１】
本発明は、爪と皮膚の境界近傍に装着する指先装飾具の製造方法であって、前記指先装飾具は略Ｃ型形状の開口部を有する基台に基づいて装飾され、該基台は、爪側から指の腹に向かって半円を超えて回り込む保持部と該保持部から長さ方向に向かう延長部を有しする形状からなる指先装飾具とした。

【手続補正３】
【補正対象書類名】明細書
【補正対象項目名】００１２
【補正方法】変更
【補正の内容】
【００１２】
また、本発明に係る製造方法は、使用者の指の形状及び爪と皮膚の境界近傍の形状を型取りした指型を製作し、該指型の周囲にワックスを塗布して硬化させ、該硬化したワックスを前記指先装飾具の形状となるように加工を施し、これを埋没材が充填された容器に収容して過熱することによって前記ワックスを除去して出来た空間内に金属を流し込むロストワックス法を用いることで使用者の指先に嵌合する内面形状に加工される構成を採用した。
【手続補正４】
【補正対象書類名】明細書
【補正対象項目名】００１３
【補正方法】変更
【補正の内容】
【００１３】
また、本発明に係る製造方法は、前記指先装飾具の前記保持部の形状が指の長さ方向に向かう延長部を有するように成型する手段を採用することもできる。
【手続補正５】
【補正対象書類名】明細書
【補正対象項目名】００１４
【補正方法】変更
【補正の内容】
【００１４】
また、本発明に係る製造方法は、前記基台に付け爪を着脱可能とする形状を有するように成型する手段を採用することもできる。
【手続補正６】
【補正対象書類名】明細書
【補正対象項目名】００１５
【補正方法】変更
【補正の内容】
【００１５】
また、本発明に係る製造方法は、前記延長部が、らせん状の形状に成型する手段とすることもできる。
【手続補正７】
【補正対象書類名】明細書
【補正対象項目名】００１６
【補正方法】変更
【補正の内容】
【００１６】
また、本発明に係る製造方法は、前記付け爪装着時に、使用者の爪と前記付け爪を爪の先端部で固着させる手段を採用することもできる。
【手続補正８】
【補正対象書類名】明細書
【補正対象項目名】００１７
【補正方法】変更
【補正の内容】
【００１７】
また、本発明に係る製造方法は、前記指先装飾具が、型取りした使用者の指に対ししまりばめとなる寸法に成型する手段を採用することもできる。
【手続補正９】
【補正対象書類名】明細書
【補正対象項目名】００１８
【補正方法】変更
【補正の内容】
【００１８】
また、本発明に係る製造方法は、前記ロストワックス法における型取りにシリコン樹脂を用いる手段を採用することもできる。